(57)【要約】【課題】  風船内の所定の位置に発光素子を配置固定することができ、かつ、風船内に配置固定した発光素子の脱落を効果的に防止することができる風船構造体を提供する。また、複数の風船を発光させ、高い訴求効果を有する風船構造体を提供する。【解決手段】  気体により所定の形状に膨張しうる複数の風船本体部１１、１１・・・と、複数の風船本体部１１、１１・・・の内方に、夫々、配設される複数の発光素子１２、１２・・・を有する発光部１３とを備えている。【選択図】  図１
0003201719.tif 000002
【実用新案登録請求の範囲】
【請求項１】
気体により所定の形状に膨張しうる複数の風船本体部と、前記複数の風船本体部の内方に、夫々、配設される複数の発光素子を有する発光部とを備えることを特徴とする風船構造体。
【請求項２】
前記風船本体部には、夫々、前記風船本体部に気体を導入しうる気体注入部と、前記風船本体部の外方に開口部を有し、前記発光素子を収納しうる発光素子収納部とが設けられていることを特徴とする請求項１記載の風船構造体。
【請求項３】
前記発光部は、前記発光素子に取付けられ、前記発光素子収納部に挿入された場合には、前記発光素子を前記発光素子収納部に配設固定しうる発光素子支持部を有し、前記発光素子支持部は、前記発光素子を取り付けうる取付部と、前記取付部に連設され、前記発光素子収納部に着脱可能に固定される固定部とを有していることを特徴とする請求項２記載の風船構造体。
【請求項４】
前記発光素子は、ＬＥＤで構成され、前記発光素子の先端部には、前記ＬＥＤから照射される光を反射して複数の方向に拡散しうる光拡散部が設けられていることを特徴とする請求項３記載の風船構造体。
【請求項５】
気体により所定の形状に膨張しうる風船本体部と、前記風船本体部の内方に配設される発光素子を有する発光部とを備えた風船であって、前記風船本体部には、夫々、前記風船本体部に気体を導入しうる気体注入部と、前記風船本体部の外方に開口部を有し、前記発光素子を収納しうる発光素子収納部とが設けられ、前記発光部は、前記発光素子に取付けられ、前記発光素子収納部に挿入された場合には、前記発光素子を前記発光素子収納部に配設固定しうる発光素子支持部を有し、前記発光素子支持部は、前記発光素子を取り付けうる取付部と、前記取付部に連設され、前記発光素子収納部に着脱可能に固定される固定部とを有していることを特徴とする風船構造体。
【考案の詳細な説明】
【技術分野】
【０００１】
本考案は、発光手段を有する風船構造体に関するものである。
【背景技術】
【０００２】
従来より、風船構造体は一般的な玩具のほか、販促やイベントなどにおける装飾品として広く用いられている。特に、発光手段を有する風船構造体は、優れた装飾効果を有することから、需要が高まっている。
装飾品として使用する場合には、耐久性及び表面装飾性の観点から、発光手段を有する風船構造体は、透明又は半透明の合成樹脂製のフィルムバルーンとして構成されることが多い。
【０００３】
このようなフィルムバルーンに発光手段を設ける技術として、例えば、特許文献１には、風船本体のガス吹き込み口に取り付けられた筒状逆止弁に発光素子構造体の発光素子収容部及び支持体が挿入され、発光素子収容部がテーパー部に位置するように構成された風船が開示されている。
また、特許文献２には、風船本体と袋体との二重構造を有し、風船本体と袋体との間にガスを注入すると共に、袋体の内部に複数の発光素子を風船本体の内部空間に広がるように配置する技術が開示されている。
また、特許文献３及び４には、気体流入口と気体流出口とを設けた中袋を風船本体の内部に、その気体流入口が風船本体の外部に開口して、気体流出口が風船本体の内部に開口するように取り付けるとともに、その中袋に風船本体の内部への気体の流入を可能にし、かつ、風船本体の内部から外部への気体の流出を阻止する逆止弁を設けて、その中袋の内部に発光体を収容可能とする技術が開示されている。
また、特許文献５には、２枚の気密シートの周縁を止着して風船本体を形成し、風船本体内に、止着部より口端を露出させた袋体を設け、風船内に光源を収納できるトンネルを形成する技術が開示されている。
【０００４】
特許文献１にあっては、支持体に発光素子収容部が支持されると共に、支持体が逆止弁に挿入されるように構成されているので、発光素子を安定して支持させることができる。しかしながら、挿入された支持体を一定の位置に配置固定することが難しく、挿入された支持体が風船から脱落してしまうといった事態を効果的に防止することはできないという不具合を有していた。特許文献３〜５にあっても、同様の不具合を有していた。
また、特許文献２にあっては、風船本体の内側に袋体が配置された二重構造であり、風船の構造が複雑で製造コストが嵩むという不具合を有していた。
また、特許文献１〜５には、一つの風船内に複数の発光手段を有する技術は開示されているが、複数の風船構造体を発光させるような技術は開示されていない。従って、複数の風船構造体に、夫々、発光手段を設けることができれば、従来に比してさらに高い訴求効果を有する風船構造体を提供することができる。
【特許文献１】特開第２０１５−１００５８８号公報
【特許文献２】特開第２００７−２５０８０号公報
【特許文献３】特開第２００３−２３６２５６号公報
【特許文献４】実用新案登録第３０８６６６７号公報
【特許文献５】特開第２００２−３６９９７７号公報
【考案の開示】
【考案が解決しようとする課題】
【０００５】
本考案は、以上のような従来からの不具合を解消するためのものであって、その課題は、風船内の所定の位置に発光素子を配置固定することができ、かつ、風船内に配置固定した発光素子の脱落を効果的に防止することができる風船構造体を提供することにある。また、複数の風船を発光させ、高い訴求効果を有する風船構造体を提供することも課題とする。
【課題を解決するための手段】
【０００６】
前記課題を解決するために、請求項１に記載の考案にあっては、気体により所定の形状に膨張しうる複数の風船本体部と、前記複数の風船本体部の内方に、夫々、配設される複数の発光素子を有する発光部とを備えることを特徴とする。
【０００７】
従って、前記複数の風船本体部が気体により所定の形状に膨張した状態において、前記発光部が前記複数の風船本体部を発光させる。
【０００８】
請求項２に記載の考案にあっては、前記風船本体部には、夫々、前記風船本体部に気体を導入しうる気体注入部と、前記風船本体部の外方に開口部を有し、前記発光素子を収納しうる発光素子収納部とが設けられていることを特徴とする。
【０００９】
従って、前記風船本体部は前記気体注入部から導入された気体により所定の形状に膨張し、前記発光素子が前記発光素子収納部に収納される。
【００１０】
請求項３に記載の考案にあっては、前記発光部は、前記発光素子に取付けられ、前記発光素子収納部に挿入された場合には、前記発光素子を前記発光素子収納部に配設固定しうる発光素子支持部を有し、前記発光素子支持部は、前記発光素子を取り付けうる取付部と、前記取付部の後端部に連設され、前記発光素子収納部に着脱可能に固定される固定部とを有していることを特徴とする。
【００１１】
従って、前記発光素子は前記発光素子支持部に配設固定された状態で前記発光素子収納部に収納され、前記発光素子支持部は前記発光素子収納部に着脱可能に固定される。
【００１２】
請求項４に記載の考案にあっては、前記発光素子は、ＬＥＤで構成され、前記発光素子の先端部には、前記ＬＥＤから照射される光を反射して複数の方向に拡散しうる光拡散部が設けられていることを特徴とする。
【００１３】
従って、前記ＬＥＤから照射された光は、前記光拡散部によって複数の方向に拡散する。
【００１４】
請求項５に記載の考案にあっては、気体により所定の形状に膨張しうる風船本体部と、前記風船本体部の内方に配設される発光素子を有する発光部とを備えた風船であって、前記風船本体部には、夫々、前記風船本体部に気体を導入しうる気体注入部と、前記風船本体部の外方に開口部を有し、前記発光素子を収納しうる発光素子収納部とが設けられ、前記発光部は、前記発光素子に取付けられ、前記発光素子収納部に挿入された場合には、前記発光素子を前記発光素子収納部に配設固定しうる発光素子支持部を有し、前記発光素子支持部は、前記発光素子を取り付けうる取付部と、前記取付部の後端部に連設され、前記発光素子収納部に着脱可能に固定される固定部とを有していることを特徴とする。
【００１５】
従って、前記発光素子は前記発光素子支持部に配設固定された状態で前記発光素子収納部に収納され、前記発光素子支持部は前記発光素子収納部に着脱可能に固定される。
【考案の効果】
【００１６】
請求項１に記載の風船構造体にあっては、前記複数の風船本体部が気体により所定の形状に膨張した状態において、前記発光部が前記複数の風船本体部を発光させるので、発光する複数の風船構造体によって、従来に比して高い訴求効果を有する風船構造体を提供することができる。
【００１７】
請求項２に記載の風船構造体にあっては、前記風船本体部は前記気体注入部から導入された気体により所定の形状に膨張し、前記発光素子が前記発光素子収納部に収納される。
従って、従来の風船構造体にあっては、前記発光素子を前記気体注入部に収納する必要があり、前記風船本体部内部の気体が漏れてしまうといった事態があったのに対して、請求項２に記載の風船構造体にあっては、前記事態を防止することができる。
【００１８】
請求項３及び請求項５に記載の風船構造体にあっては、前記発光素子は前記発光素子支持部に配設固定された状態で前記発光素子収納部に収納され、前記発光素子支持部は前記発光素子収納部に着脱可能に固定されるので、前記発光素子を前記風船本体部の所定の位置に配置固定することができると共に、前記発光素子が前記風船本体部から脱落するといった事態を効果的に防止することができる。
【００１９】
請求項４に記載の風船構造体にあっては、前記ＬＥＤから照射された光は、前記光拡散部によって複数の方向に拡散するので、従来のＬＥＤを用いた発光する風船構造体にあっては、ＬＥＤが高い直進性を有しているために、風船本体部全体を発光させることが難しかったのに比して、請求項４に記載の風船構造体にあっては、前記風船本体部全体を発光させることができ、前記風船本体部表面に装飾をした場合には訴求効果の高い風船構造体を提供することができる。
【図面の簡単な説明】
【００２０】
【図１】図１は、本考案に係る風船構造体の一実施の形態を示す斜視図である。
【図２】図２は、本考案に係る風船構造体の一実施の形態において、風船構造体に発光素子を配設した状態を示す拡大斜視図である。
【図３】図３は、本考案に係る風船構造体の一実施の形態において、発光素子支持部を展開した状態を示す平面図である。
【図４】図４は、本考案に係る風船構造体の一実施の形態において、発光素子支持部に発光素子を固定した状態を示す拡大斜視図である。
【図５】図５は、本考案に係る風船構造体の一実施の形態において、第二の実施の形態に係る発光素子支持部を展開した状態を示す平面図である。
【図６】図６は、本考案に係る風船構造体の一実施の形態において、第二の実施の形態に係る発光素子支持部に発光素子を固定した状態を示す拡大斜視図である。
【図７】図７は、本考案に係る風船構造体の一実施の形態において、第二の実施の形態に係る発光素子支持部に発光素子を固定し、発光素子収納部に収納した状態を示す拡大斜視図である。
【考案を実施するための最良の形態】
【００２１】
以下、添付図面に示す実施の形態に基づき、本考案を詳細に説明する。
図１及び図２に示すように、本考案の一実施の形態に係る風船構造体１０は、合成樹脂製であって、気体により偏平球体状に膨張しうる複数の風船本体部１１、１１・・・と、複数の風船本体部１１、１１・・・の内方に、夫々、配設される複数の発光素子１２、１２・・・を有する発光部１３と、複数の発光素子１２、１２・・・を、夫々、接続しうる配線部２１と、配線部２１を通じて発光部１３に電源を供給しうる電源供給部２２とを備えている。
【００２２】
また、図２に示すように、本実施の形態に係る風船本体部１１には、風船本体部１１の内方及び外方に、夫々、開口部２３、２４を有し、風船本体部１１に気体を導入しうる気体注入部１４と、風船本体部１１の外方に開口部１５を有し、発光素子１２を収納しうる発光素子収納部１６とが夫々、別個に設けられている。
図２に示すように、本実施の形態に係る気体注入部１４は、合成樹脂製であって、幅寸法Ｌ１を有する薄板長方形状の一対のシート２５、２５により構成され、一対のシート２５、２５の幅方向両端部を溶着することにより、長さ方向両端部に開口部２３、２４を有する筒状に形成されている。
また、図２に示すように、本実施の形態に係る発光素子収納部１６は、合成樹脂製であって、一対のシート２５、２５と同一の幅寸法Ｌ１を有する同一形状の一対のシート２６、２６により構成され、一対のシート２６、２６の幅方向両端部及び風船本体部１１の内方に位置する長さ方向一端部を溶着することにより、長さ方向他端部に開口部１５を有する袋状に形成されている。
【００２３】
また、図２〜図４に示すように、本実施の形態に係る発光部１３は、発光素子１２に取付けられ、発光素子収納部１６に挿入された場合には、発光素子１２を発光素子収納部１６に配設固定しうる発光素子支持部１７を有している。図３に示すように、本実施の形態に係る発光素子支持部１７は、全体合成樹脂製であって、発光素子１２を取り付けうる取付部１８と、取付部１８に連設され、発光素子収納部１６に着脱可能に固定される固定部１９とを有している。
【００２４】
図３に示すように、本実施の形態に係る取付部１８は、円弧状に面取りされた先端部を有する平面略細長長方形状に形成された挟持片部２７と、挟持片部２７に折曲線部２８を介して連設された挟持片部２７と略同一形状の挟持片部２９とにより構成されている。図３に示すように、本実施の形態に係る挟持片部２７、２９は、夫々、先端部に略楕円形状の孔部３０、３０と、挟持片部２７、２９の長さ方向に沿って幅方向中央に設けられた折曲線部３１、３１とを有している。
図３に示すように、本実施の形態に係る挟持片部２７の長さ方向中央部には、折曲線部３１の一部を開設して形成されたスリット３２が設けられ、挟持片部２９の長さ方向中央部には、挟持片部２９の一部から外方へ延設された係止凸部３３が設けられている。
【００２５】
また、図２〜図４に示すように、本実施の形態に係る固定部１９は、円弧状に面取りされた後端部を有し、発光素子収納部１６の幅寸法Ｌ１と略同一の幅寸法Ｌ２を有する平面略薄板長方形状に形成され、中央部に孔部３４が設けられ、孔部３４から外方へ幅方向に沿ってスリット３５が設けられることにより平面略Ｃ字状に形成された鉤爪部３６を有している。
【００２６】
また、図１、図２及び図４に示すように、本実施の形態に係る発光素子１２は、ＬＥＤにより構成され、発光素子１２の先端部には、光拡散部２０が設けられている。本実施の形態に係る光拡散部２０は、シリコン樹脂製であって、ＬＥＤから照射される光を反射して複数の方向に拡散しうるように構成されている。
【００２７】
また、図５〜図７に示すように、第二の実施の形態に係る発光素子支持部４０は、第一の実施の形態に係る発光素子支持部１７と同様に、発光素子１２に取付けられ、発光素子収納部１６に挿入された場合には、発光素子１２を発光素子収納部１６に配設固定しうるように構成されている。
第二の実施の形態に係る発光素子支持部４０は、第一の実施の形態に係る発光素子支持部１７と共通する構成に関し、第一の実施の形態と同一の符号を付し、その説明を省略する。
【００２８】
図５に示すように、第二の実施の形態に係る取付部１８は、平面略細長長方形状に形成された本体部４２と、本体部４２に折曲線部４３、４３を介して連設された一対の挟持片部４４、４５とにより構成されている。
図５に示すように、本実施の形態に係る本体部４２は、配線部２１を挿通固定しうる孔部４６、４７と、挟持片部４５側端部から孔部４６まで連通するスリット４８と、先端部から孔部４７まで連通し、孔部４７に至るに従って細くなるテーパー状に形成されたスリット４９、４９とを有している。
図５に示すように、本実施の形態に係る挟持片部４４、４５は、夫々、挟持片部４４、４５の長さ方向に沿って幅方向中央に設けられた折曲線部５０、５０を有している。また、図５に示すように、挟持片部４４の長さ方向中央部には、挟持片部４４から折曲線部６０を介して外方へ延設された張出部５９が設けられている。
【００２９】
また、図５に示すように、本実施の形態に係る固定部１９は、本体部４２に連設された本体部５１と、挟持片部４４、４５より大きな幅寸法を有する平面略長方形状であって、本体部５１に折曲線部５２、５３を介して連設された一対の固定片部５４、５５とにより構成されている。図５に示すように、本実施の形態に係る固定片部５４は、挟持片部４４と一体に形成されている。
また、図５〜図７に示すように、本実施の形態に係る本体部５１及び固定片部５５は、発光素子１２を構成するＬＥＤが挿通されうる径寸法を有し、折曲線部５３に対して線対称となるように開設された孔部５６及び５７を有している。また、図５に示すように、挟持片部４５と固定片部５５との間には、スリット５８が設けられている。以上が第一の実施の形態に係る発光素子１７と第二の実施の形態に係る発光素子支持部４０との相違点である。
【００３０】
以下、本実施の形態に係る風船構造体１０の作用について説明する。
図１〜図３に示すように、本実施の形態に係る風船構造体１０は、以下の手順により使用することができる。
まず、図２に示すように、気体注入部１４に設けられた開口部２４から気体を注入すると、気体注入部１４を経て、開口部２３から風船本体部１１の内部に気体が導入され、風船本体部１１が偏平球体状に膨張する。
風船本体部１１が膨張した場合には、図２に示すように、本実施の形態に係る気体注入部１４は、薄板長方形状の一対のシート２５、２５により構成され、一対のシート２５、２５の幅方向両端部を溶着することにより、開口部２３、２４を有する筒状に形成されているので、風船本体部１１の内部に導入された気体の圧力により一対のシート２５、２５が互いに圧接する。その結果、気体注入部１４が逆止弁としての機能を果たすことから、風船本体部１１の内部から気体注入部１４を経て、外部へ気体が流出するといった事態を防止することができる。
以上の手順を複数の風船本体部１１に対して繰り返すことにより、図１に示すように、複数の風船本体部１１を夫々膨張させることができる。
【００３１】
次に、図３及び図４に示すように、本実施の形態に係る発光素子支持部１７に対して、ＬＥＤにより構成された発光素子１２を取り付ける。具体的には、挟持片部２７の孔部３０の位置に発光素子１２を配置し、配線部２１を挟持片部２７の長さ方向に沿って配置し、鉤爪部３６の孔部３４に配線部２１を挿通させる。
その後、図２〜図４に示すように、挟持片部２９を折曲線部２８に沿って、挟持片部２７に重なるように折り曲げる。さらに、図２及び図３に示すように、係止凸部３３をスリット３２に挿通させて挟持片部２７と挟持片部２９とを係止させる。
そして、図４に示すように、発光素子１２の先端部に光拡散部２０を取り付けることによって、発光素子１２の発光素子支持部１７への取付けが完了する。
【００３２】
この際、発光素子１２及び配線部２１は、挟持片部２７と挟持片部２９とにより挟持固定されるので、発光素子１２を発光素子支持部１７の所定の位置に配置固定することができる。
また、図３に示すように、本実施の形態に係る発光素子支持部１７にあっては、折曲線部３１、３１が挟持片部２７、２９の長さ方向に沿って幅方向中央に設けられているので、発光素子１２の形状に合わせて、挟持片部２７、２９を折曲線部３１、３１に沿って折り曲げることができ、発光素子１２をより確実に挟持固定することができる。
さらに、図２及び図４に示すように、挟持片部２７及び２９は、係止凸部３３及びスリット３２により係止されるので、発光素子１２を発光素子支持部１７の所定の位置により確実に配置固定することができる。
また、図２及び図４に示すように、本実施の形態に係る孔部３０、３０は、ＬＥＤにより構成された発光素子１２を挟持すると共に、ＬＥＤが発光した際に、光を遮るといった事態を防止することができる。
【００３３】
続いて、図２に示すように、発光素子１２を取り付けた発光素子支持部１７を発光素子収納部１６に挿入する。
この際、図２〜図４に示すように、固定部１９の幅寸法Ｌ２が、発光素子収納部１６の幅寸法Ｌ１と略同一に形成されているため、固定部１９の幅方向両端部が発光素子収納部１６内部の幅方向両端部に当接し、発光素子支持部１７が発光素子収納部１６に固定される。
その結果、図２及び図４に示すように、本実施の形態に係る風船構造体１０にあっては、発光素子１２は発光素子支持部１７に配設固定された状態で発光素子収納部１６に収納され、発光素子支持部１７は発光素子収納部１６に着脱可能に固定されるので、発光素子１２を風船本体部１１の所定の位置に配置固定することができると共に、発光素子１２が風船本体部１１から脱落するといった事態を効果的に防止することができる。
特に、図２に示すように、本実施の形態に係る発光素子１２は、風船本体部１１の中心部に配置固定されているので、発光素子１２が上下、前後、左右方向に夫々ずれてしまうといった事態を防止して、風船本体部１１の中心部から風船本体部１１全体を均一に発光させることができる。
【００３４】
また、図２に示すように、本実施の形態に係る発光素子収納部１６は、薄板長方形状の一対のシート２６、２６により構成され、一対のシート２６、２６の幅方向両端部及び風船本体部１１の内方に位置する長さ方向一端部を溶着することにより、開口部１５を有する袋状に形成されているので、風船本体部１１の内部に導入された気体の圧力により一対のシート２６、２６が互いに圧接する。
従って、発光素子収納部１６に収納された発光素子支持部１７が一対のシート２６、２６に保持されるので、発光素子１２を風船本体部１１の所定の位置に配置固定することができると共に、発光素子１２が風船本体部１１から脱落するといった事態をより効果的に防止することができる。
【００３５】
最後に、図１に示すように、本実施の形態に係る電源供給部２２から配線部２１を通じて発光部１３に電源を供給することによって、発光素子１２、１２・・・が発光し、それに伴い風船本体部１１、１１・・・が発光する。
この際、図２及び図４に示すように、本実施の形態に係る発光素子１２、１２・・・の先端部には、シリコン樹脂製の光拡散部２０が取り付けられているので、ＬＥＤから照射される光がシリコン樹脂に対して散乱及び透過をすることによって、複数の方向に拡散する。
その結果、従来のＬＥＤを用いた発光する風船構造体にあっては、ＬＥＤが高い直進性を有しているために、風船本体部全体を発光させることが難しかったのに比して、本実施の形態に係る風船構造体１０にあっては、風船本体部１１全体を発光させることができ、風船本体部１１の表面に装飾をした場合には訴求効果の高い風船構造体を提供することができる。
【００３６】
図５及び図６に示すように、第二の実施の形態に係る発光素子支持部４０を用いる場合には、発光素子支持部４０に対して、ＬＥＤにより構成された発光素子１２を取り付ける。
具体的には、固定片部５５を折曲線部５３に沿って本体部４２の内方側に折り曲げ、孔部５６及び５７が重なるようにした後に、孔部５６及び５７に発光素子１２を挿通させる。その後、配線部２１の一部をスリット４８を介して孔部４６に挿通させ、さらにスリット４９、４９を介して孔部４７に挿通させることによって、配線部２１及び発光素子１２を取り付ける。
その後、図５及び図６に示すように、挟持片部４５を折曲線部４３に沿って本体部４２の内方側に折り曲げ、本体部４２に重なるように折り曲げる。さらに、図５及び図６に示すように、挟持片部４４及び固定片部５４を折曲線部４３及び５２に沿って本体部４２の内方側に折り曲げ、本体部４２及び５１に重なるように折り曲げる。
そして、図５及び図６に示すように、発光素子１２の先端部に光拡散部２０を取り付けることによって、発光素子１２の発光素子支持部４０への取付けが完了する。
【００３７】
この際、図５及び図６に示すように、本実施の形態に係る配線部２１は、孔部４６及び４７により挿通固定されると共に、本体部４２と挟持片部４４、４５とにより挟持固定されるので、発光素子１２を発光素子支持部４０の所定の位置に配置固定することができる。
また、図３に示すように、本実施の形態に係る発光素子支持部４０にあっては、折曲線部５０、５０が挟持片部４４、４５の長さ方向に沿って幅方向中央に設けられているので、発光素子１２の形状に合わせて、挟持片部４４、４５を折曲線部５０、５０に沿って折り曲げることができ、発光素子１２をより確実に挟持固定することができる。
【００３８】
続いて、発光素子１２を取り付けた発光素子支持部４０を発光素子収納部１６に挿入する。
ここで、図示しないが、発光素子収納部１６の幅寸法が固定片部５４、５５の幅寸法と略同一に形成されている場合には、第一の実施の形態に係る発光素子支持部１７と同様に、第二の実施の形態に係る発光素子支持部４０において、固定片部５４、５５が発光素子収納部１６内部の幅方向両端部に当接し、発光素子支持部４０が発光素子収納部１６に固定される。
その結果、発光素子１２を風船本体部１１の所定の位置に配置固定することができると共に、発光素子１２が風船本体部１１から脱落するといった事態を効果的に防止することができる。
【００３９】
また、図７に示すように、発光素子収納部１６の一般部の幅寸法Ｌ５が、折曲線部４３から張出部５９までの幅寸法Ｌ３と略同一に形成されると共に、発光素子収納部１６の開口部１５付近に溶着部６１が設けられることにより、開口部１５が発光素子収納部１６の一般部の幅寸法Ｌ５よりも小さい幅寸法Ｌ４に形成されている場合にあっては、張出部５９を折曲線部６０に沿って折り曲げた状態で発光素子収納部１６に挿入する。
図７に示すように、張出部５９が溶着部６１を通過した後に、張出部５９を折り曲げた状態から元に戻すことで、張出部５９が発光素子収納部１６内部の幅方向両端部に当接し、発光素子支持部４０が発光素子収納部１６に固定される。その結果、発光素子１２を風船本体部１１の所定の位置に配置固定することができる。
特に、図７に示すように、発光素子支持部４０が発光素子収納部１６から引き出される方向に動いた場合であっても、折曲線部４３から張出部５９までの幅寸法Ｌ３が発光素子収納部１６の開口部１５の幅寸法Ｌ４よりも大きいことから、発光素子支持部４０が発光素子収納部１６の開口部１５から脱落するといった事態をより効果的に防止することができる。
【００４０】
本実施の形態に係る発光部１３は、発光素子１２に取付けられ、発光素子収納部１６に挿入された場合には、発光素子１２を発光素子収納部１６に配設固定しうる発光素子支持部１７を有している場合を例に説明したが、前記構成に限定されるものではない。
【産業上の利用可能性】
【００４１】
本考案は風船構造体に広く適用可能であり、産業上利用可能性を有している。
【符号の説明】
【００４２】
１０：風船構造体
１１：風船本体部
１２：発光素子
１３：発光部
１４：気体注入部
１５、２３、２４：開口部
１６：発光素子収納部
１７、４０：発光素子支持部
１８：取付部
１９：固定部
２０：光拡散部
２１：配線部
２２：電源供給部
２５、２６：シート
２７、２９、４４、４５：挟持片部
２８、３１、４３、５０、５２、５３、６０：折曲線部
３０、３４、４６、４７、５６：孔部
３２、３５、４８、４９、５８、：スリット
３３：係止凸部
３６：鉤爪部
４２、５１：本体部
５４、５５：固定片部
５９：張出部
６１：溶着部
Ｌ１：シートの幅寸法
Ｌ２：固定部の幅寸法
Ｌ３：折曲線部から張出部までの幅寸法
Ｌ４：発光素子収納部の開口部の幅寸法
Ｌ５：発光素子収納部の一般部の幅寸法
【図１】
0003201719.tif 000003
【図２】
0003201719.tif 000004
【図３】
0003201719.tif 000005
【図４】
0003201719.tif 000006
【図５】
0003201719.tif 000007
【図６】
0003201719.tif 000008
【図７】
0003201719.tif 000009